(57)【要約】      （修正有）【課題】端部に接続されるチューブの接続長さを変更することによって、共振点を変更して騒音を低減するようにした鼻孔カニューラを提供する。【解決手段】長さ方向の中央部と、該中央部の両端の一対の端部とを有する筒体から構成され、前記中央部に長さ方向と直交する一対の突出部が設けられ、これら一対の突出部を鼻孔に挿入するようにした鼻孔カニューラ１１において、中央部の両端に設けられている端部に対するチューブ１５の挿入深さを４〜８ｍｍの範囲内、とくに５〜７ｍｍの範囲内とする。これによって共振点をずらして酸素流出時の騒音の低減を図る。【選択図】図２
0003158407.tif 000002
【実用新案登録請求の範囲】
【請求項１】
長さ方向の中央部と、該中央部の両端の一対の端部とを有する筒体から構成され、前記中央部に長さ方向と直交する一対の突出部が設けられ、前記一対の突出部を鼻孔に挿入するようにした鼻孔カニューラにおいて、
前記端部内にチューブが挿入されるとともに、該チューブの挿入深さが端部から４〜８ｍｍの範囲内であることを特徴とする鼻孔カニューラ。
【請求項２】
前記チューブの外径の方が前記端部の内径よりも大きく、溶剤タイプの接着剤を塗布して前記チューブの外周面と前記端部の内周面とを溶かしながら溶着することを特徴とする請求項１に記載の鼻孔カニューラ。
【請求項３】
端部に対する前記チューブの挿入量を調整することにより共振点を変えて酸素の流出に伴う騒音を抑えることを特徴とする請求項１に記載の鼻孔カニューラ。
【考案の詳細な説明】
【技術分野】
【０００１】
本考案は鼻孔カニューラに係り、とくに呼吸療法のための医療用具であって、チューブに接続される両端の端部間の中央部に、鼻孔に挿入される一対の突出部が設けられている鼻孔カニューラに関する。
【背景技術】
【０００２】
例えば実用新案登録第３１０７７８７号公報や、実用新案登録第３１０８５９９号公報に開示されているように、呼吸困難、あるいは低酸素症の患者に対する酸素療法あるいは呼吸療法のために、鼻孔カニューラが用いられる。鼻孔カニューラは、鼻の下の部位に左右の方向に沿うように顔面上に装着され、中間部に設けられている一対の突出部を鼻孔の入口部分に挿入し、酸素供給源からの酸素をチューブおよび上記突出部を通して鼻孔内に供給するものである。
【０００３】
このような鼻孔カニューラにおいて、とくに供給する酸素の流量を大きくすると、これに伴って騒音が増大する。患者は夜間も装着した状態で就寝するが、夜間においてはとくに騒音によって不快感を感じ、あるいはまた不眠状態になる問題がある。
【０００４】
このような鼻孔カニューラのガスの流出に伴う騒音は、上述の如く酸素の流量の増大によって発生し、酸素の流量に依存するものの、さらに鼻孔カニューラそれ自体の寸法によっても影響することが明らかになっている。すなわち鼻孔カニューラの大きさをより小さくすると、騒音が大きくなることが判明している。一方で装着する場合には、鼻孔カニューラの大きさをコンパクトかつ軽量にする要請があり、騒音と装着し易さとが互いに相反する結果になっている。
【先行技術文献】
【特許文献】
【０００５】
【特許文献１】実用新案登録第３１０７７８７公報
【０００６】
【特許文献２】実用新案登録第３１０８５９９号公報
【考案の概要】
【考案が解決しようとする課題】
【０００７】
本願考案の課題は、騒音を抑えるようにした鼻孔カニューラを提供することである。
【０００８】
本願考案の別の課題は、全体の大きさをコンパクトにしてしかも騒音を小さく抑えるようにした鼻孔カニューラを提供することである。
【０００９】
本願考案のさらに別の課題は、端部に接続されるチューブの接続長さを変更することによって、共振点を変更して騒音を低減するようにした鼻孔カニューラを提供することである。
【００１０】
本願考案の上記の課題および別の課題は、以下に述べる本願考案の技術的思想、およびその実施の形態によって明らかにされる。
【課題を解決するための手段】
【００１１】
本願の主要な考案は、長さ方向の中央部と、該中央部の両端の一対の端部とを有する筒体から構成され、前記中央部に長さ方向と直交する一対の突出部が設けられ、前記一対の突出部を鼻孔に挿入するようにした鼻孔カニューラにおいて、
【００１２】
前記端部内にチューブが挿入されるとともに、該チューブの挿入深さが端部から４〜８ｍｍの範囲内であることを特徴とする鼻孔カニューラに関するものである。
【００１３】
ここで、前記チューブの外径の方が前記端部の内径よりも大きく、溶剤タイプの接着剤を塗布して前記チューブの外周面と前記端部の内周面とを溶かしながら溶着するようにしてよい。
【００１４】
また端部に対する前記チューブの挿入量を調整することにより共振点を変えて酸素の流出に伴う騒音を抑えるようにしてよい。
【考案の効果】
【００１５】
本願の主要な考案は、長さ方向の中央部と、該中央部の両端の一対の端部とを有する筒体から構成され、中央部に長さ方向と直交する一対の突出部が設けられ、一対の突出部を鼻孔に挿入するようにした鼻孔カニューラにおいて、端部内にチューブが挿入されるとともに、該チューブの挿入深さが端部から４〜８ｍｍの範囲内としたものである。
【００１６】
このような特徴ある構成の鼻孔カニューラによると、とくにチューブの挿入深さが適切に調整され、共振点が変化して騒音が低減されることになる。とくに小型の鼻孔カニューラにおいてその傾向が顕著に現われ、従って、全体の大きさが小型でコンパクトでありながら、しかも騒音を抑制することができる鼻孔カニューラを提供することが可能になる。
【図面の簡単な説明】
【００１７】
【図１】鼻孔カニューラの平面図（Ａ）および正面図（Ｂ）である。
【図２】鼻孔カニューラを装着している状態を示す正面図である。
【図３】第１の実施の形態の鼻孔カニューラの騒音を測定している状態の正面図である。
【図４】第２の実施の形態の鼻孔カニューラの平面図（Ａ）および正面図（Ｂ）である。
【図５】第２の実施の形態の鼻孔カニューラの騒音を測定している状態の正面図である。
【図６】酸素流量に対する騒音の変化を示すグラフである。
【図７】端部に対するチューブの接続長さによる騒音の変化を示すグラフである。
【考案を実施するための形態】
【００１８】
以下本願考案を図示の実施の形態によって説明する。図２に示すように、本実施の形態の鼻孔カニューラ１１は、患者の顔面上であって、鼻の直ぐ下の部分に左右の方向に沿うように装着され、酸素供給源から鼻孔内に酸素を供給するのに用いられる。このような鼻孔カニューラは、酸素療法のための医療器具の一種であって、低酸素症の患者に対する酸素療法等に広く用いられる。
【００１９】
図１Ａ、Ｂに示されるように、この鼻孔カニューラ１１には、長さ方向の中央部１２と、この中央部１２の両側における一対の端部１３と、中央部１２における一対の突出部１４とが設けられている。中央部１２は中空であって扁平な角筒状をなし、端部１３および突出部１４が中空の円筒状をなしている。一対の突出部１４は、図１Ａに示されるように、扁平な角筒状の中央部１２の内の天面部分からこの天面部分に対して垂直に上方に突出している。端部１３の内部と中央部１２の内部とは互いに連通されており、中央部１２の内部と突出部１４の内部とも互いに連通している。
【００２０】
一対の突出部１４同士の間の部分で、突出部１４の軸心に対して軸心方向から見て、鼻孔カニューラ１１は、「へ」の字状になっている（図１Ａ参照）。また中央部１２のうちで上述の屈曲部と端部１３との間の部分とこの部分における突出部１４の軸心とを含む平面内で、中央部１２に対して端部１３が屈曲している（図１Ｂ参照）。鼻孔カニューラ１１は、可塑剤を添加したポリ塩化ビニールやスチレン系エラストマ等の軟質の透明または透明に近い半透明の合成樹脂または合成ゴムで成形されている。透明にすると目立たなくなる。またこの鼻孔カニューラ１１の外表面および内表面は、表面粗さが０．８程度の粗さになっている。
【００２１】
図３に示されるように、鼻孔カニューラ１１の一対の端部１３のそれぞれに円筒状チューブ１５の一方の端部が挿入固定され、一対のチューブ１５の端部は、図２に示すようにこのチューブ１５上を摺動可能なストッパリング１６でまとめられた状態で接続管１７に挿入固定されており、チューブ１８の他方の端部はソケット（図示せず）等を介して酸素発生装置等に接続される。なお、円筒状チューブ１５は汎用品であり、円筒状のチューブ１５を挿入および固定することができるように、鼻孔カニューラ１１の一対の端部１３も同様に円筒状になっている。
【００２２】
なおここで、チューブ１５はその内径が２．３ｍｍで、外径が３．４ｍｍの物が用いられている。これに対してカニューラ１１の端部１３は、その内径が３．１ｍｍで外径が４．５ｍｍの値になっている。このようにチューブ１５の外径の方がカニューラ１１の端部１３の内径よりも大きな値になっているために、カニューラ１１の端部１３にチューブ１５の先端部を挿入する際に溶剤タイプの接着剤を例えばチューブ１５の外周部に塗った状態で挿入し、これによってチューブ１５と端部１３の内周部を互いに溶かしながら溶着するようにしている。
【００２３】
低酸素症の患者に対する呼吸療法のために鼻孔カニューラ１１を用いる場合には、図２に示すように、一対の突出部１４を患者の鼻孔に挿入して、鼻孔カニューラ１１を鼻の下部に沿わせる。そして一対のチューブ１５を両耳に掛け、チューブ１５の上でストッパリング１６を摺動させることによってチューブ１５上におけるストッパリング１６の位置を調整する。この調整で頭部に対するチューブ１５の移動や揺動を防止することによって、顔面に対する鼻孔カニューラ１１の位置を固定する。
【００２４】
上述のように鼻孔カニューラ１１は「ヘ」の字状になっているので、患者への装着時に鼻孔カニューラ１１を容易に上顎に沿わせることができる。また、上述のように中央部１２に対して端部１３が屈曲しているので、この端部１３に挿入および固定されているチューブ１５を容易に耳の方向へ延在させることができる。このような装着状態で、酸素発生装置等で発生された酸素が、チューブ１８、接続管１７、チューブ１５、鼻孔カニューラ１１の端部１３および中央部１２を介して、突出部１４から患者の鼻孔に供給され、酸素療法が行なわれる。
【００２５】
次に第２の実施の形態の鼻孔カニューラ２１を図４Ａ、Ｂによって説明する。図４Ａ、Ｂに示されるように、本実施の形態の鼻孔カニューラ２１は塩化ビニールやスチレン系エラストマ等の軟質の透明または透明に近い半透明の合成樹脂または合成ゴムで製造されており、長さ方向の中央部２２と、一対の端部２３とが、鼻孔カニューラ２１に設けられている。
【００２６】
鼻孔に挿入される一対の筒状の突出部２４を中央部２２が有しており、中央部２２の内部と突出部２４の内部とが互いに連通されている。突出部２４の軸心方向から見ると、一対の突出部２４同士の間の部分で中央部２２が１３５°程度の鈍角に屈曲しており、このために鼻孔カニューラ２１の全体が「へ」の字状になっている（図４Ａ参照）。
【００２７】
そして図４Ｂに示されるように、中央部２２の内の上記鈍角の屈曲部から端部２３との境界部までの部分はほぼ直線状になっている。しかし、中央部２２から端部２３に向う中央部２２の延在方向から、突出部２４が中央部２２から突出している側へ、端部２３が中央部２２に対して傾斜している（図４Ｂ参照）。端部２３はほぼ円筒状のチューブの一方の端部が挿入および固定されるので円筒状であるが、中央部２２は角筒状である。中央部２２の延在方向に垂直な断面における形状は、突出部２４の軸心方向に延びる長辺とこの長辺に垂直な方向に延びる短辺とを有する長方形になっている。
【００２８】
中央部２２の断面である長方形の長辺の長さは、突出部２４の近傍部分と端部２３との隣接部分２６とで互いに等しくなっている。しかし、中央部の断面である長方形の短辺の長さは、隣接部分２６よりも近傍部分２５で長くなっている（図４Ａ参照）。これは、近傍部分２５の断面である長方形の短辺の部分に突出部２４を設けるためである。また、端部２３の直径は、近傍部分２５の断面である長方形の短辺の長さとほぼ等しい。これは、図５に示されるように、汎用の円筒状のチューブ１５の一方の端部を端部２３に挿入固定するためである。
【００２９】
中央部２２の断面である長方形の短辺の長さは近傍部分２５よりも隣接部分２６で短いが、図４Ａに示されるように、中央部分２２の内で上述の「へ」の字の劣角側の平面２７は近傍部分２５と隣接部分２６とで面一である。このため、中央部２２の断面である長方形の短辺の長さが近傍部分２５よりも隣接部分２６で短い分は、中央部２２のうちで「へ」の字の優角側の平面２８における段差によって形成されている。
【００３０】
上述のように中央部２２の断面である長方形の短辺の長さが近傍部分２５よりも隣接部分２６で短いので、平面２７に垂直な方向において隣接部分２６の厚さが近傍部分２５および端部２３の厚さよりも薄いと言える。このため、鼻孔カニューラ２１がその隣接部分２６において突出部２４の軸心と垂直な面内で曲がり易く、顔面に沿うように装着出来るようになる。
【００３１】
人間の頭部への鼻孔カニューラ２１の装着に際しては、第１の実施の形態と同様に、一対の突出部２４を鼻孔に挿入して鼻孔カニューラ２１を上顎から頬骨の下側にかけて位置させ、図２の場合と同様に一対のチューブ１５を両耳に掛け、ストッパリング１６の位置を調整して顔面に対するチューブ１５の移動や揺動を防止することによって、顔面に対する鼻孔カニューラ２１の位置を固定する。鼻孔カニューラ２１が人間の頭部に装着されると鼻孔カニューラ２１の内で少なくとも平面２７が顔面に接触するので、少なくとも平面２７が顔面との接触面になっている。
【００３２】
一方、顔面が曲面であり、しかも、顔面の曲面には個人差がある。しかし上述のように鼻孔カニューラ２１がその隣接部分２６において突出部２４の軸心と垂直な面内で曲がり易い。このため、人間の頭部への装着時に隣接部分２６が顔面に沿って曲がり易く、装着状態で平面２７、２８が実際には曲面になっている。従って、鼻孔カニューラ２１が顔面に馴染み易くて、人間の頭部への装着状態における適合感が良好である。しかも、上述のように少なくとも平面２７が顔面との接触面になっているので、鼻孔カニューラ２１と顔面とが面状に接触し、鼻孔カニューラ２１が顔面にさらに馴染み易くて、人間の頭部への装着状態における適合感がさらに良好になる。
【００３３】
なおこの第２の実施の形態においても、チューブ１５の内径は２．３ｍｍで外径が３．４ｍｍである。またカニューラ２１の端部２３の内径が３．１ｍｍで外径が４．５ｍｍになっている。すなわちチューブ１５と端部２３の寸法は第１の実施の形態と同様の値になっている。
【００３４】
次にこのような鼻孔カニューラ１１、２１の騒音の測定結果を説明する。図６は、図３あるいは図５に示すようにチューブ１５を接続した状態で、鼻孔カニューラ１１、２１を通して供給する酸素の流量を変化させたときのこの鼻孔カニューラ１１、２１の騒音のレベルを示している。なおこれらの騒音のレベルは、図３および図５に示す騒音計３１によって測定されるようになっており、この騒音計３１の先端側の部分に集音マイクロホン３２を接続し、この集音マイクロホン３２を中央部１２、２２の突出部１４、２４と正対させた状態で測定を行なっている。
【００３５】
図６において、黒丸で示す騒音のデータは、図１に示す鼻孔カニューラ１１および図４に示す鼻孔カニューラ２１であって、チューブ１５の端部１３、２３に対する接続長さが６ｍｍの値である。この種の鼻孔カニューラ１１、２１が最も騒音レベルが低く、酸素流量を７Ｌ／ｍｉｎとしたときの値が４５．２ｄＢＡになっている。これに対して図１および図４に示す鼻孔カニューラ１１、２１であって、チューブ１５の接続長さを１０ｍｍとしたときの従来の形態の場合には、菱形のマークで示す値になり、本願の黒丸で示した場合よりも騒音レベルが大きくなっている。また白丸で示す市販の他社のものは、それよりもさらに騒音レベルが高くなっている。
【００３６】
次に鼻孔カニューラ１１、２１の端部２３に対するチューブ１５の挿入深さ（接続長さ）と騒音との関係について測定した結果を、図７に示す。なおこの測定においては、チューブ１５の挿入深さを、端部１３、２３の斜めの面の中間点を基準として測定しており、図３および図５においてＬで示す長さを接続長さとしている。
【００３７】
測定によると、チューブ１５の接続長さが２〜８ｍｍの範囲内では騒音のレベルがほとんど変化していない。これに対してチューブ１５の接続長さが８ｍｍを超えると騒音レベルが増大することが判明している。従って酸素の流出に伴う騒音の発生を低減するためには、チューブの接続長さを８ｍｍ以下とすることが好ましく、より好ましくは７ｍｍ以下である。またチューブ１５の接続長さがあまり短いと、チューブ１５が端部１３、２３に確実に接続されず、接続強度を損なう。従って接続長さは少なくとも４ｍｍ程度を必要とし、このことから、４〜８ｍｍの範囲内が接続長さとして好ましい。より好ましくは５〜７ｍｍの範囲内である。８ｍｍよりも長い接続長さに設定すると、騒音レベルが急激に増大し、４ｍｍ以下にすると、十分な接続強度が確保できなくなる。
【００３８】
上記のような騒音は、酸素がカニューラ１１、２１の内部を流れる過程で、笛のようなメカニズムで騒音が発生するものと推定され、とくに酸素の流量が大きくなると笛の音である「ピー」という音が生ずる。ここでチューブ１５の接続長さを変化させることは、管楽器の音程を変えることと同様に、共振点を変化させることになるものと考えられる。そして共振点がずれて音が小さくなるのはチューブ１５の接続長さＬが６ｍｍ前後の値である。従って上述のような範囲内に設定することにより、より騒音の少ない鼻孔カニューラ１１、２１を提供することが可能になる。実施の形態１、２においては、接続長さを６±１ｍｍとして製造管理を行なっている。
【００３９】
なお鼻孔カニューラ１１、２１の全体的な形状から見ると、大型のものの方が騒音を発生し難く、小型のものの方が騒音を発生し易い。一方で装着のし易さや軽さ、あるいは顔面に対する負担を考えると、鼻孔カニューラとしてより小型のものが好ましい。しかし小型にすると、騒音を発生し易くなる。従って本願考案は、とくに小型軽量化を図った鼻孔カニューラにおいて、さらに騒音の低減が必要な場合に極めて有効である。
【００４０】
以上本願考案を図示の一実施の形態によって説明したが、本願考案は上記実施の形態によって限定されることなく、本願考案の技術的思想の範囲内において各種の変更が可能である。例えば鼻孔カニューラ１１、２１の全体の形状や各部の寸法、あるいは材質等については目的に応じて各種の変更が可能である。
【産業上の利用可能性】
【００４１】
本願考案は、酸素の吸入が必要な低酸素症等の患者に対する呼吸療法に用いられる鼻孔カニューラとして利用することが可能である。
【符号の説明】
【００４２】
１１  鼻孔カニューラ
１２  中央部
１３  端部
１４  突出部
１５  チューブ
１６  ストッパリング
１７  接続管
１８  チューブ
２１  鼻孔カニューラ
２２  中央部
２３  端部
２４  突出部
２５  近傍部分
２６  隣接部分
２７、２８  平面
３１  騒音計
３２  集音マイクロホン
【図１】
0003158407.tif 000003
【図２】
0003158407.tif 000004
【図３】
0003158407.tif 000005
【図４】
0003158407.tif 000006
【図５】
0003158407.tif 000007
【図６】
0003158407.tif 000008
【図７】
0003158407.tif 000009
【手続補正書】
【提出日】平成22年1月26日(2010.1.26)
【手続補正１】
【補正対象書類名】実用新案登録請求の範囲
【補正対象項目名】全文
【補正方法】変更
【補正の内容】
【実用新案登録請求の範囲】
【請求項１】
長さ方向の中央部と、該中央部の両端の一対の端部とを有する筒体から構成され、前記中央部に長さ方向と直交する一対の突出部が設けられ、前記一対の突出部を鼻孔に挿入するようにした鼻孔カニューラにおいて、
前記端部内にチューブが挿入されるとともに、該チューブの挿入深さが端部から４〜８ｍｍの範囲内であることを特徴とする鼻孔カニューラ。
【請求項２】
前記チューブの外径の方が前記端部の内径よりも大きく構成してから、溶剤タイプの接着剤を塗布して前記チューブの外周面と前記端部の内周面とを溶かしながら溶着して構成したことを特徴とする請求項１に記載の鼻孔カニューラ。